(57)【要約】【課題】  ひのき材ならびにひのき油の成分として保有する芳香、抗菌、防虫、消臭、脱臭などの作用を利用し芳香材としたものを、袋内に封入してひのき芳香袋とすることにより、取り扱いやすく、使用に便利なひのき芳香袋とする。【解決手段】  ひのき材の細片、板、チップ、おが屑などを主材とし、適量のひのき油を加えた芳香材を、浸透性のある合成樹脂製袋、不織布様袋に封入したことを特徴とするひのき芳香袋、前記記載の芳香材を、浸透性のある合成樹脂製袋、不織布様袋に封入したことを特徴とするひのき芳香袋。【選択図】図１
0003164575.tif 000002
【実用新案登録請求の範囲】
【請求項１】
ひのき材の細片、板、チップ、おが屑などを主材とし、適量のひのき油を加えた芳香材を、浸透性のある合成樹脂製袋内に封入したことを特徴とするひのき芳香袋。
【請求項２】
不織布様の袋で覆うことを特徴とする請求項１記載のひのき芳香袋。
【請求項３】
ひのき材の細片、板、チップ、おが屑などを主材とし、適量のひのき油を加えた芳香材を、不織布様の袋内に封入したことを特徴とするひのき芳香袋。
【請求項４】
浸透性のある合成樹脂製袋で覆ったことを特徴とする請求項３記載のひのき芳香袋。
【考案の詳細な説明】
【技術分野】
【０００１】  この考案は、ひのき油を用いた芳香材を匂いの発散する袋内に封入することにより、取り扱いに便利なひのき芳香袋とする技術に関するものである。
【背景技術】
【０００２】  ひのき材は、その成分として芳香を保有しており、木材として利用するとその芳香を放ち、とくに水などの液体に濡れるとその芳香は一段と増加する。さらにひのき油は、芳香に加え、抗菌、防虫、消臭、脱臭などの成分を含み、またそれらの芳香は精神安定のための薬用効果を有するといわれている。
【考案の開示】
【考案が解決しようとする課題】
【０００３】  この考案は、ひのき材とひのき油の成分として保有する芳香、薬用効果を利用し、その木片やひのき油の有する芳香、抗菌、防虫、消臭、脱臭などの作用を利用し芳香材としたものにひのき油を滲み込ませた芳香材を、袋内に封入して芳香袋とすることにより、芳香として発散させ、取り扱いやすく、使用に便利なひのき材を利用した、ひのき芳香袋とする。
【課題を解決するための手段】
【０００４】  ひのき材の細片、板、チップ、おが屑などを主材とし、適量のひのき油を加えた芳香材を、浸透性のある合成樹脂製袋内に封入したことを特徴とする芳香袋は、芳香材が浸透して発散、持続し、さらにそれを不織布様（よう）の袋で覆うことを特徴とする前記記載の芳香袋は、不織布材により浸透を調節してべたつくこともなく、ひのき材の細片、板、チップ、おが屑などを主材とし、適量のひのき油を加えた芳香材を、不織布様の袋内に封入したことを特徴とする芳香袋は、直接、不織布材のもつ浸透性の特徴を利用し、またそれを浸透性のある合成樹脂製袋で覆った芳香袋は、水分、湿気分に対応して有効であり、芳香の自然的な発散と取り扱いの利便を計る。
【考案の効果】
【０００５】この考案のひのき芳香袋を、居間、寝室、台所、トイレ、浴場などに配置することにより、芳香といやし効果を得ることが出来る。防臭用、脱臭用、消臭用として、台所、トイレ、ゴミ箱、下駄箱、靴箱などに配置することも効果的である。また防虫剤としも、衛生害虫の忌避に効果をもたらす。すなわちこの考案のひのき芳香袋は、快い匂いを放つことにより、心身をリラックスさせる癒し効果をもたらし、それは精神安定につながる。この考案のひのき芳香袋は、他にクローゼット、机上、卓上、台上などに配置し、またはバッグなどに入れて持ち歩くことによって、そのような芳香と、その癒し効果の作用を利用することが出来、長時間にわたりその香りを楽しむことができる。
【考案を実施するための最良の形態】
【０００６】  ひのき材の細片、板、チップ、おが屑などを主材とし、適量のひのき油を加えた芳香材を、塩化ビニール製袋内に封入したことを特徴とするひのき芳香袋、不織布様の袋で覆うことを特徴とする前記記載のひのき芳香袋、ひのき材の細片、板、チップ、おが屑などを主材とし、適量のひのき油を加えた芳香材を、不織布様の袋内に直接、封入したことを特徴とするひのき芳香袋。
【実施例】
【０００７】  添付図面によってこの考案のひのき芳香袋を説明すると、図１に示すように合成樹脂製袋、たとえば、塩化ビニール製の透明または不透明な袋（１）内に、ひのき材の細片、板、チップ、おが屑（２）などを主材とし、適量のひのき油を加えた芳香材（３）を入れ、封入してひのき芳香袋（Ａ）とする。ここに用いる芳香材はひのき材を主材とし、適量のひのき油を加えたことを特徴とする芳香材（３）であり、芳香を有し、抗菌、、防虫、消臭、脱臭などの作用を有する。芳香材（３）はひのき材または製材により生ずるひのき材の排出片を用い、常温下で適量のひのき油と、チップのものは攪拌、混合などして得ることができ、天然のひのき材を利用し、複雑な工程を必要としない方法により製造することができる。【０００８】  この芳香袋（Ａ）は、その中にあるひのき油は非常に浸透性が強く、塩化ビニール製の袋内に入れて封印しても、塩化ビニール材の極く微小な孔を通じて外部に浸透し、その匂いを発散させる。したがって設置に適した大きさの袋に入れ、目的に応じた場所に配置するのに都合がよく、長時間にわたり乾燥せず使用でき、芳香袋として好適である。すなわちそれはひのき材の細片、板、チップ、おが屑などに、直接空気や水分が触れないため、香りの揮発するのを遅らせる。ここでひのき油は粒子が細かいため、塩化ビニール材に浸透発散する作用があり、したがって徐々に香りが発散することとなる。またこのような塩化ビニール製袋に入れることにより、水に流されたり風などにより飛び散ったりしない。【０００９】  図２は、図１に示す塩化ビニール製の透明または不透明な袋（１）を、不織布製の袋（ｆ）で包んだひのき芳香袋（Ｂ）である。不織布材の一例としては、現在、茶漉し用として市販され、使用されている薄手のもの、あるいは接着芯としてポリエチレン、ポリエステル、レーヨンなどを使用して製作される厚手のものを用途に応じて選択している。【００１０】  図３は、前記の芳香材（３）を直接、不織布製の袋（ｆ）に入れた芳香袋（Ｃ）である。これは不織布材のもつ浸透、発散性の特徴を利用し、簡便に包装できるものである。【００１１】  図４は、図３の芳香袋（Ｃ）を前記の塩化ビニール製の透明または不透明な袋（１）で覆った芳香袋（Ｄ）であり、香りを発散させ、水分、湿気分に対して対応し有効である。【００１２】  適当な容器内に落葉、枯葉などを入れたり、または造花を飾り、その中に前記した芳香袋（Ａ）、（Ｂ）、（Ｃ）、（Ｄ）を配置しておくことにより、インテリヤ製品として好適となる。
【産業上の利用可能性】
【００１３】  ひのき材は心よい芳香を有し、その成分はまた防腐作用を有するものとして知られている。このひのき材が建築材として柱、基礎材などに使用される際に生ずる木材周囲の裁断された搬出片は、前記の有効成分を持つにも拘わらず、押し並べて廃棄されているのであるが、廃棄に当たっては廃材運搬費や、焼却費などの費用を要し、中でも焼却は煙の排出による公害を発生させることから問題とされており、その処分に困惑している現状にある。この考案はこのようなひのき材の排出材の再利用と有効利用に着目し、それらひのき材の排出材を細片、薄めの板とし、チップ状のものは２〜３ｍｍに裁断し、またはおが屑状にし、それにひのき材から抽出されたひのき油を適量に加え、攪拌、混合などして芳香材を製造し、それらを塩化ビニール製袋などに封入して使用する。この香りは、ゴキブリなどの害虫忌避に卓効がある。なお、前述のひのきの排出材によらないで、ひのき材そのものを主材としてもよい。【００１４】  この考案のひのき芳香袋は、多用途、多方面に利用することができるものである。この考案のひのき芳香袋に入れる芳香材は、天然のひのき材を使用し、また高価で優良なひのき材より生ずる排出材を棄捨、廃棄することなく利用し、それによって資源を無駄なく、再利用することにより、貴重な天然木材資源の再利用、活用に貢献できる。
【図面の簡単な説明】
【００１５】
【図１】  この考案のひのき芳香袋を示す図。
【図２】  この考案のひのき芳香袋の他の例を示す図。
【図３】  この考案のひのき芳香袋のさらに他の例を示す図。
【図４】  この考案のひのき芳香袋のさらに他の例を示す図。
【符号の説明】
【００１６】  （Ａ）、（Ｂ）、（Ｃ）、（Ｄ）  ひのき芳香袋
（１）  透明または不透明な袋
（２）  ひのき材の細片、板、チップ、おが屑
（３）  芳香材
（ｆ）  不織布製の袋
【図１】
0003164575.tif 000003
【図２】
0003164575.tif 000004
【図３】
0003164575.tif 000005
【図４】
0003164575.tif 000006